(57)【要約】【課題】ディスクの薄さ、可撓性を有することを生かし、より小型軽量で扱いやすい構成になるディスク積載体を提供する。【解決手段】最も上にあるフレキシブルディスク１ａにおける中心のハブ２ａを中実体にし、次層のフレキシブルディスク１ｂ〜１ｅのハブ２ｂ〜２ｅを、中空筒状にして中心のハブ２ａの外側に順次同心円状に、互いに摺動可能に配設する。ハブ２ａ〜２ｄには、それぞれ隣接するハブ２ｂ〜２ｅの上壁部７ｂ〜７ｅと係合して、上下の抜けを防止する突起８ａ〜８ｄを設け、さらに、この突起８ａ〜８ｄに対向するハブの内周壁に凹溝１０ｂ〜１０ｅを設け、突起８ａ〜８ｄを上下に摺動可能に、かつ回転トルクを各ハブ２ａ〜２ｅに伝達可能にする。【選択図】図３
2006252596.tif 000002
【特許請求の範囲】
【請求項１】
複数枚のフレキシブルディスクが重ねられた状態のディスク積載体であって、
前記各フレキシブルディスクの中心部に内外径が異なるハブを、隣接するハブが相対的に摺動できるように設けたことを特徴とするディスク積載体。
【請求項２】
前記フレキシブルディスクのハブの内径をＤｉ（ｎ）、外径をＤｏ（ｎ）、また外側にて隣接するハブの内径をＤｉ（ｎ＋１）、外径をＤｏ（ｎ＋１）として（ｎ≧１）、各ハブの関係を、
Ｄｏ（ｎ＋１）＞Ｄｉ（ｎ＋１）＞Ｄｏ（ｎ）＞Ｄｉ（ｎ）
に設定したことを特徴とする請求項１記載のディスク積載体。
【請求項３】
前記フレキシブルディスクにおいて、最も小径のハブを有するディスク番号を１、最大の直径のハブを有するディスク番号ｍとし、その間のディスク番号をｎ（ｍ＞ｎ）として、各ディスク番号のハブ高さＨ１，Ｈｎ，Ｈｍの関係を、
Ｈ１＞Ｈｎ＞Ｈ（ｎ＋１）＞Ｈｍ
に設定したことを特徴とする請求項１または２記載のディスク積載体。
【請求項４】
前記フレキシブルディスクの各ハブの高さＨｎ（ｎはディスク番号）を、
Ｈｎ―Ｈ（ｎ＋１）＞フレキシブルディスクにおける記録領域の厚さ
に設定したことを特徴とする請求項１〜３いずれか１項記載のディスク積載体。
【請求項５】
前記フレキシブルディスクのハブに、隣接するハブと係合して上下の抜けを防止する突起を設けたことを特徴とする請求項１〜４いずれか１項記載のディスク積載体。
【請求項６】
前記フレキシブルディスクのハブに、隣接するハブに対して摺動可能かつ回転トルクを伝達できるように嵌挿される凹凸部を設けたことを特徴とする請求項１〜５いずれか１項記載のディスク積載体。
【請求項７】
前記フレキシブルディスクのハブに、チャッキング位置決め用の凹凸部を設けたことを特徴とする請求項１〜６いずれか１項記載のディスク積載体。
【請求項８】
請求項１〜７いずれか１項記載のディスク積載体が収納され、各フレキシブルディスク間の間隔が広がり得る空間を有することを特徴とするディスクカートリッジ。
【請求項９】
請求項８記載のディスクカートリッジが装填され、該ディスクカートリッジが装填された状態でフレキシブルディスクをチャッキングして回転駆動するディスク駆動装置であって、
フレキシブルディスクの各ハブを受ける部材を前記各ハブと嵌合する階段形状にし、チャッキング時に各フレキシブルディスク間の間隔を広げることを特徴とするディスク駆動装置。
【請求項１０】
請求項７に記載のディスク積載体を収納したディスクカートリッジが装填された場合に、フレキシブルディスクのハブに設けられたチャッキング位置決め用の凹凸部と嵌合する凹凸部が設けられたクランパを備えたことを特徴とする請求項９記載のディスク駆動装置。
【発明の詳細な説明】
【技術分野】
【０００１】
本発明は、シート状のフレキシブルディスクを複数枚重ねてなるディスク積載体、該ディスク積載体を収納するディスクカートリッジ、該ディスクカートリッジに収納されたフレキシブルディスクを回転駆動するディスク駆動装置に関するものである。
【背景技術】
【０００２】
近年、テレビ放送のデジタル化が始まるなど、大容量のデジタルデータを記録することが光ディスクに求められている。光ディスクの高密度化のための手法のうち、基本的な方法は記録／再生のための光のスポット径を小さくすることである。
【０００３】
このため、記録／再生のために用いられる光の波長を短く、かつ対物レンズの開口数ＮＡを大きくすることが有効である。光の波長についてはＣＤ（compact disk）では近赤外光の７８０ｎｍ、ＤＶＤ（digital versatile disk）では赤色光の６５０ｎｍ近傍の波長が用いられている。最近、青紫光の半導体レーザが開発され、今後は４００ｎｍ近傍のレーザ光が使用されると予想される。
【０００４】
また、対物レンズについては、ＣＤ用はＮＡ０.５未満であったが、ＤＶＤ用はＮＡ０.６程度である。今後、さらに開口数（ＮＡ）を大きくしてＮＡ０.７以上とすることが求められる。しかし、対物レンズのＮＡを大きくすること、および光の波長を短くすることは、光を絞るときに収差の影響が大きくなることでもある。したがって、光ディスクのチルトに対するマージンが減ることになる。また、ＮＡを大きくすることによって焦点深度が小さくなるため、フォーカスサーボ精度を上げなくてはならない。
【０００５】
さらに、高ＮＡの対物レンズを使用することによって、対物レンズと光ディスクの記録面との距離が小さくなってしまうため、光ディスクの面振れを小さくしておかないと、始動時のフォーカスサーボを引き込む直前、対物レンズと光ディスクとが衝突することがあり、ピックアップの故障の原因となる。
【０００６】
短波長，高ＮＡの大容量光ディスクとして、例えば非特許文献１に示されているように、ＣＤと同程度に厚く剛性の大きい基板に記録膜を成膜し、記録／再生用の光を基板を通さずに、薄いカバー層内を通して記録膜に対して記録／再生する構成のシステムが提案されている。
【０００７】
また、例えば特許文献１，２に記載されているように、平面をもつ安定化板上で可撓性を有する光ディスクを回転させて、光ディスクにおける面ぶれを安定化させる方法が知られている。
【０００８】
また、本発明者らは特許文献３などにおいて、可撓性を有するシート状の光ディスクを用いて記録／再生を行う際に、空気力によって光ディスクの面ぶれを確実に抑制し、高密度の記録を可能にし、しかも対物レンズとの摺接などの不具合の発生を防ぐことができる光ディスク駆動装置，光学的情報記録装置、および光学的情報再生装置、ならびにそれらに用いられるディスクカートリッジを提供した。
【０００９】
特許文献３に記載の発明によって、高ＮＡレンズを用いる際の衝突などの問題を回避できた。またディスクが薄いことを利用し、多数枚のチェンジャを用いることで、きわめて簡便に１００ＧＢ以上の大容量を実現できた。
【非特許文献１】「Ｏ  ＰＬＵＳ  Ｅ」（ｖｏｌ．２０，Ｎｏ．２，１８３頁）
【特許文献１】特開平７−１０５６５７号公報
【特許文献２】特開平１０−３０８０５９号公報
【特許文献３】特開２００３−１１５１０８号公報
【発明の開示】
【発明が解決しようとする課題】
【００１０】
しかしながら、特許文献３に記載の発明では、ディスクを多数枚用いるチェンジャは、ディスク１枚ごとにパレットに載せてハンドリングをしていた。パレットは機械的に出し入れしやすいように剛体で形成されており、したがって、厚さがフレキシブルディスクの数倍あった。ハンドリングは従来からあったＣＤチェンジャなどと同様に簡便ではあるが、ディスクカートリッジの厚みがディスク１０枚で２センチ程度とやや厚くなってしまうという課題があった。
【００１１】
本発明は、前記従来の課題を解決し、ディスクの薄さ、可撓性を有することを生かし、より小型軽量で扱いやすい構成になるディスク積載体、それを用いたディスクカートリッジ，ディスク駆動装置を提供することを目的とする。
【課題を解決するための手段】
【００１２】
前記目的を達成するため、請求項１に記載の発明は、複数枚のフレキシブルディスクが重ねられた状態のディスク積載体であって、前記各フレキシブルディスクの中心部に内外径が異なるハブを、隣接するハブが相対的に摺動できるように設けたことを特徴とする。
【００１３】
請求項２に記載の発明は、請求項１記載のディスク積載体において、フレキシブルディスクのハブの内径をＤｉ（ｎ）、外径をＤｏ（ｎ）、また外側にて隣接するハブの内径をＤｉ（ｎ＋１）、外径をＤｏ（ｎ＋１）として（ｎ≧１）、各ハブの関係を、Ｄｏ（ｎ＋１）＞Ｄｉ（ｎ＋１）＞Ｄｏ（ｎ）＞Ｄｉ（ｎ）に設定したことを特徴とする。
【００１４】
請求項３に記載の発明は、請求項１または２記載のディスク積載体において、フレキシブルディスクにおいて、最も小径のハブを有するディスク番号を１、最大の直径のハブを有するディスク番号ｍとし、その間のディスク番号をｎ（ｍ＞ｎ）として、各ディスク番号のハブ高さＨ１，Ｈｎ，Ｈｍの関係を、Ｈ１＞Ｈｎ＞Ｈ（ｎ＋１）＞Ｈｍに設定したことを特徴とする。
【００１５】
請求項４に記載の発明は、請求項１〜３いずれか１項記載のディスク積載体において、フレキシブルディスクの各ハブの高さＨｎ（ｎはディスク番号）を、Ｈｎ―Ｈ（ｎ＋１）＞フレキシブルディスクにおける記録領域の厚さ、に設定したことを特徴とする。
【００１６】
請求項５に記載の発明は、請求項１〜４いずれか１項記載のディスク積載体において、フレキシブルディスクのハブに、隣接するハブと係合して上下の抜けを防止する突起を設けたことを特徴とする。
【００１７】
請求項６に記載の発明は、請求項１〜５いずれか１項記載のディスク積載体において、フレキシブルディスクのハブに、隣接するハブに対して摺動可能かつ回転トルクを伝達できるように嵌挿される凹凸部を設けたことを特徴とする。
【００１８】
請求項７に記載の発明は、請求項１〜６いずれか１項記載のディスク積載体において、フレキシブルディスクのハブに、チャッキング位置決め用の凹凸部を設けたことを特徴とする。
【００１９】
請求項８に記載のディスクカートリッジに係る発明は、請求項１〜７いずれか１項記載のディスク積載体が収納され、各フレキシブルディスク間の間隔が広がり得る空間を有することを特徴とする。
【００２０】
請求項９に記載の発明は、請求項８記載のディスクカートリッジが装填され、該ディスクカートリッジが装填された状態でフレキシブルディスクをチャッキングして回転駆動するディスク駆動装置であって、フレキシブルディスクの各ハブを受ける部材を前記各ハブと嵌合する階段形状にし、チャッキング時に各フレキシブルディスク間の間隔を広げることを特徴とする。
【００２１】
請求項１０に記載の発明は、請求項９記載のディスク駆動装置において、請求項７に記載のディスク積載体を収納したディスクカートリッジが装填された場合に、フレキシブルディスクのハブに設けられたチャッキング位置決め用の凹凸部と嵌合する凹凸部が設けられたクランパを備えたことを特徴とする。
【発明の効果】
【００２２】
本発明に係るディスク積載体およびディスクカートリッジによれば、複数枚のフレキシブルディスクは重ねられた状態にてカートリッジに収納可能であり、かつフレキシブルディスクを重ねたときに、ハブがリング状に重なり合うことになり、複数のフレキシブルディスクにおける上下間隔が極めて狭く収納されることになり、薄いディスクスタックが実現する。
【００２３】
また、本発明に係るディスク駆動装置によれば、本発明に係るディスク積載体，ディスクカートリッジを用いる際、フレキシブルディスクのハブを受ける部分を階段状にして、この階段部が個々のフレキシブルディスクのハブと嵌合するようになされているため、駆動装置にディスクスタックをチャッキングさせると、フレキシブルディスク間の間隔が広がって、例えば、この間隔間にピックアップおよび空気安定化スタビライザを挿入することができる。これにより、収納時における薄いディスクスタックが実現し、しかも、装置へ装填して記録または再生を行うときは、個々のフレキシブルディスクが分離して記録または再生を行うことが可能になる。
【発明を実施するための最良の形態】
【００２４】
以下、本発明の実施形態を図面に基づいて説明する。
【００２５】
図１は本発明の実施形態を説明するためのディスク積載体の斜視図であり、以下の説明では、５枚のシート状のフレキシブルディスク１が積載された例について説明する。
【００２６】
各フレキシブルディスク１は、厚さ９５μｍのポリカーボネートフィルムに溝を熱転写成形し、スパッタリングで相変化型記録層を形成したものであって、フィルムにグルーブ幅０.３６μｍ、グルーブピッチ０.６０μｍ、グルーブ深さ４５ｎｍのトラッキング用溝を熱転写で成形した。このフィルムにスパッタリングにて記録層を形成した。すなわち、ポリカーボネートフィルム上に、銀 １２０ｎｍ，ＺｒＯ２−ＴｉＯ２ １０ｎｍ，ＢｉＧｅ １.５ｎｍ，Ｓｂ３Ｔｅ １２ｎｍ，ＺｎＳ−ＳｉＯ２ １３５ｎｍを形成し、その後、紫外線硬化樹脂を１０μｍ塗布，硬化させた。また、スパッタ面と逆側にも紫外線硬化樹脂を９μｍ塗布，硬化させた。ＢｉＧｅの使用により、Ｓｂ３Ｔｅ相変化記録層は、成膜直後から結晶状態であり、すぐに記録／再生可能な状態にある。
【００２７】
成膜後、フィルムを外径１２０ｍｍに打ち抜いて中央孔を有するフレキシブルディスクとした。内径は、後述するように、ディスク毎に異なる孔径で打ち抜いた。中心孔に設けられるハブ２は、フィルム同様にポリカーボネート樹脂を射出成形で製作し、ディスクのグルーブと同心円の中心が一致するように貼り合わせた。接着には紫外線硬化樹脂を用いた。
【００２８】
図１に示すディスク積載体３はフレキシブルディスク１が密着して重なって、ディスクカートリッジ４に収納されているときの状態を示している。
【００２９】
図２はディスク積載体３のディスク間隔が広がった状態を示しており、ディスクカートリッジ４は、各フレキシブルディスク１間が必要な間隔に広がるのに十分な空間を具備しているか、ディスクカートリッジ１自体を可撓性を有する材質のものから形成する。
【００３０】
図３はディスク積載体における各ハブを拡大して示す断面図であり、５枚のフレキシブルディスク１ａ〜１ｅが密着して重なっている状態を例示している。
【００３１】
最も上にあるフレキシブルディスク１ａの中心のハブ２ａは中実体であり、次層のフレキシブルディスク１ｂ〜１ｅのハブ２ｂ〜２ｅは、中空筒状をなしており、中心のハブ２ａの外側に順次同心円状に、互いに摺動可能に配設されている。また本例では、中心のハブ２ａの上部には、ディスク駆動装置のクランパ（後述する）に設けられた位置決め用凸部と嵌合する位置決め用凹部５が設けられており、中心のハブ２ａの下部には、ディスク駆動装置のチャッキング（後述する）に設けられた位置決め用凸部と嵌合する位置決め用凹部６が設けられている。
【００３２】
前記ハブ２ａ〜２ｄには、それぞれ隣接するハブ２ｂ〜２ｅの上壁部７ｂ〜７ｅと係合して、上下の抜けを防止する突起８ａ〜８ｄが設けられ、さらに、この突部８ａ〜８ｄに対向するハブの内周壁の上下方向に凹溝１０ｂ〜１０ｅが設けられ、突起８ａ〜８ｄを上下に摺動可能にし、かつ回転トルクが各ハブ２ａ〜２ｅに伝達されるようにしている。なお、突部８ａ〜８ｄと凹溝１０ｂ〜１０ｅとの凹凸関係を逆にすることも考えられる。
【００３３】
このように、各ハブ２ａ〜２ｅは、嵌め合いで同軸に重ねられるような寸法関係になっおり、ハブの内径をＤｉ（ｎ）、外径をＤｏ（ｎ）、また外側にて隣接するハブの内径をＤｉ（ｎ＋１）、外径をＤｏ（ｎ＋１）とすると（ｎ≧１、ただし、本例では５つのハブであるのでｎは１〜５の整数）、各ハブ２ａ〜２ｅの径の大小関係は、Ｄｏ（ｎ＋１）＞Ｄｉ（ｎ＋１）＞Ｄｏ（ｎ）＞Ｄｉ（ｎ）になる。
【００３４】
また、本実施形態において、フレキシブルディスク１ａ〜１ｅが重ねられたときに，各ハブ２ａ〜２ｅの下面が平らになるために、各ディスクの厚さ分、各ハブの高さを変える必要がある。
【００３５】
このため、フレキシブルディスク１ａ〜１ｅにおいて、最も小径のハブ（本例ではフレキシブルディスク１ａのハブ２ａ）を有するディスク番号を１、最大の直径のハブ（本例ではフレキシブルディスク１ｅのハブ２ｅ）を有するディスク番号をｍとし、その間のディスク番号をｎ（ｍ＞ｎ、本例ではｍ＝５，ｎ＝２〜４）とすると、各ディスク番号のフレキシブルディスクのハブ高さＨ１，Ｈｎ，Ｈｍの関係は、Ｈ１＞Ｈｎ＞Ｈ（ｎ＋１）＞Ｈｍにする必要がある。
【００３６】
さらに、各ハブ２ａ〜２ｅの高さＨｎ（ｎはディスク番号、本例ではｎ＝５）を、Ｈｎ―Ｈ（ｎ＋１）＞（フレキシブルディスクにおける記録領域の厚さ）に設定する必要がある。
【００３７】
これらの関係を満たすと、重ねられたフレキシブルディスク１ａ〜１ｅにおいて図３に示すようにハブ２ａ〜２ｅの下面の高さが揃うことになる。本例の場合では、フレキシブルディスク１ａ〜１ｅを５枚重ねたときの全体の高さは７.５ｍｍとなった。
【００３８】
図４は前記ディスクカートリッジに収納されたディスク積載体がディスク駆動装置に装着されて、記録／再生が行われる状態を示す説明図であり、
図４において、１１はフレキシブルディスク１ａ〜１ｅをチャッキングして回転駆動するスピンドルシャフト、１２はスピンドルシャフト１１を駆動するスピンドルモータ、１３は、フレキシブルディスク１ａ〜１ｅに対して情報の書き込みを行う記録手段かつ書き込まれた情報の読み取りを行う再生手段としての光ピックアップ、１４は光ピックアップ１３をフレキシブルディスク１ａ〜１ｅの半径方向へ移動させるピックアップ用位置決め機構、１５は、フレキシブルディスク１ａ〜１ｅを介して光ピックアップ１３に対向設置され、フレキシブルディスク１ａ〜１ｅの面振れを防止するための安定化部材、１６は安定化部材１５を光ピックアップ１３と連動してフレキシブルディスク１ａ〜１ｅの半径方向へ移動させる安定化部材用位置決め機構である。
【００３９】
１７はスピンドルシャフト１１の上端部に固定されたチャッキングであって、外周形状が各ハブ２ａ〜２ｅの下端部に当接し、かつ各ハブ２ｂ〜２ｅの中空部と嵌合する階段形状であり、図４に２点鎖線にて示すように、チャッキング時に各ハブ２ａ〜２ｅを押し上げて各フレキシブルディスク１ａ〜１ｅ間の間隔を広げるようになっている。チャッキング１７の上端部には、中央のハブ２ａの下部に位置決め用凹部６と嵌合する位置決め用凸部１８が突設されている。
【００４０】
１９は、チャッキング１７とによりフレキシブルディスク１ａ〜１ｅを挟持保持するクランパであって、中央のハブ２ａの上部に設けられた位置決め用凹部５と嵌合する位置決め用凸部２０が突設されている。
【００４１】
なお、前記位置決め用凹部５，６と、それに嵌合する前記位置決め用凸部１８，２０とは、凹凸関係が逆であってもよい。
【００４２】
図４において、フレキシブルディスク１ａ〜１ｅは等間隔に広がっており、本例ではディスク間隔は５ｍｍにしてある。ハブの下面と最上のフレキシブルディスク１ａ上面との距離は約２５ｍｍである。
【００４３】
隣接ハブにおける上壁部７ｂ〜７ｅと突起８ａ〜８ｄとが係合して高さが決まり、外れを防止している。さらに隣接ハブにおける突起８ａ〜８ｄと凹溝１０ｂ〜１０ｅが嵌合して、上下方向にはほとんど摩擦なく移動し、周方向の回転方向には自由回転せずに、回転トルクが伝達されるようになっている。
【００４４】
中央のハブ２ａの下面には鉄板（図示せず）が埋め込まれ、一方、チャッキング１７の最上部には磁石が埋め込まれており、チャッキング時、互いの磁力でディスク積載体３がチャッキング１７を介してスピンドルシャフト１１に対して固定関係になる。
【００４５】
したがって、前記状態でスピンドルモータ１２のスピンドルシャフト１１が回転すると、ハブ２ａがマグネットチャックされているため、各ハブ２ａ〜２ｅへのトルク伝達がなされ、各フレキシブルディスク１ａ〜１ｅが共に回転する。
【００４６】
光ピックアップ１３として、波長４０５ｎｍ，ＮＡ０.８５の表面記録仕様のものを用いた。また、光ピックアップ１３は高さが３ｍｍの薄型のものを用いた。この光ピックアップ１３をディスク枚数と同じ５個（図には１個のみを例示してある）設置した。
【００４７】
このように、複数のディスクを用いることで、容量が増えると共に、データ転送レートも大きくすることができる。
【００４８】
図４では、各フレキシブルディスク１ａ〜１ｅの間隔が広がり、記録／再生の選択されたフレキシブルディスク１ｃを挟むようにして、光ピックアップ１３と安定化部材１５が挿入された状態を例示している。
【００４９】
スピンドルシャフト１１の回転により、フレキシブルディスク１ｃは光ピックアップ１３と安定化部材１５間で回転する。回転しているフレキシブルディスク１ｃは、それ自体、小さいながら剛性を持ち、また遠心力の作用により真っ直ぐな状態になろうとする力を持つ。したがって、フレキシブルディスク１ｃに対して安定化部材１５を近づけて、ベルヌーイの法則に基づく空気流の圧力差による作用力を生成してフレキシブルディスク１ｃに与えることにより、フレキシブルディスク１ｃが真っ直ぐになろうとする力と、安定化部材１５からの空気力学的な作用力の釣り合いによって、大きな面振れ（ディスク回転軸方向の振れ）を減少させることができる。
【００５０】
このようにしたことによって、空気力によるディスク面振れが安定化することになる。そして、面振れを安定化させた部位Ａにおいて、フレキシブルディスク１ｃの記録層に対して、光ピックアップ１３により記録／再生用の光を集光することにより、記録／再生が行われる。
【００５１】
なお、全てのハブ２ａ〜２ｅの下面に鉄板を埋め込み、かつチャッキング１７の階段形状部分の上部に磁石を埋め込むことにより、ハブ２ｂ〜２ｅの内側壁に形成した前記凹溝１０ｂ〜１０ｅを不要にすることができる。このようにすることにより、組み立て時の嵌挿作業がなくなり、組み立てが容易になり、また、全てのハブが磁力チャックによりトルク伝達されることになるため、安定してディスク積載体３が回転することになる。
【００５２】
また、ディスクカートリッジ４を可撓性を有する材料で形成することによって、単体で存在するときは、カートリッジ内のディスク積載体３が密着して、カートリッジの厚みを薄くすることができ、また、当該可撓性を有するディスクカートリッジ４を駆動装置に装填して前記のようにチャッキング，ローディング状態にすると、ディスク間隔が広がるに伴ってディスクカートリッジ４が弾性変形して厚さが大きくなり、各フレキシブルディスクに対する記録／再生が可能な状態にすることができる。このようにすることにより、薄いディスクのチェンジャ動作と薄型カートリッジを用いることが可能になり、大容量かつ高速転送レートの光ディスクシステムが実現する。
【産業上の利用可能性】
【００５３】
本発明は、各種光学的情報記録／再生方式のシート状でかつフレキシブルな記録ディスクからなるディスク積載体に適用される。特に、ディスクに対する安全なハンドリング、および高速に記録／再生することが可能で、簡便な構成が要求されるディスク駆動装置、およびディスクカートリッジに実施して有効である。
【図面の簡単な説明】
【００５４】
【図１】本発明の実施形態を説明するためのディスク積載体の斜視図
【図２】本実施形態におけるディスク積載体のディスク間隔が広がった状態を示す斜視図
【図３】本実施形態におけるハブの積層状態を示す拡大断面図
【図４】本実施形態においてディスクカートリッジに収納されたディスク積載体がディスク駆動装置に装着されて、記録／再生が行われる状態を示す説明図
【符号の説明】
【００５５】
１，１ａ〜１ｅ  フレキシブルディスク
２ａ〜２ｅ  ハブ
３  ディスク積載体
４  ディスクカートリッジ
５，６  位置決め用凹部
７ｂ〜７ｅ  ハブの上壁部
８ａ〜８ｄ  ハブの突起
１０ｂ〜１０ｅ  ハブの凹溝
１１  スピンドルシャフト
１２  スピンドルモータ
１３  光ピックアップ
１５  安定化部材
１７  チャッキング
１８，２０  位置決め用凸部
１９  クランパ
【図１】
2006252596.tif 000003
【図２】
2006252596.tif 000004
【図３】
2006252596.tif 000005
【図４】
2006252596.tif 000006